(57)【要約】【課題】簡易な構成でありながら複雑な操作を必要としないで、画像に対して適切に情報を付加することができる表示装置を提供する。【解決手段】表示装置は、受光した光に応じて発電する発電部と、画像を表示する表示部と、表示部に画像を表示している期間の発電部の出力に基づいて、所定の情報を生成する生成部と、生成部が生成した所定の情報を、画像に関連付けて記憶部に記憶させる制御部と、を備える。【選択図】図１
2014021437.tif 000002
【特許請求の範囲】
【請求項１】
受光した光に応じて発電する発電部と、
画像を表示する表示部と、
前記表示部に前記画像を表示している期間の前記発電部の出力に基づいて、所定の情報を生成する生成部と、
前記生成部が生成した前記所定の情報を、前記画像に関連付けて記憶部に記憶させる制御部と、
を備えることを特徴とする表示装置。
【請求項２】
前記所定の情報は、前記画像のレーティングを示す情報である
ことを特徴とする請求項１に記載の表示装置。
【請求項３】
前記発電部の出力に基づいて、前記表示部に前記画像を表示している期間において前記発電部が発電した累積発電量を取得する第１取得部、
を備え、
前記生成部は、
前記第１取得部が取得した前記累積発電量に基づいて、前記所定の情報を生成する
ことを特徴とする請求項１または２に記載の表示装置。
【請求項４】
前記発電部の出力に基づいて、前記表示部に前記画像を表示している期間において前記発電部が発電した累積時間を取得する第２取得部、
を備え、
前記生成部は、
前記第２取得部が取得した前記累積時間に基づいて、前記所定の情報を生成する
ことを特徴とする請求項１から３の何れか一項に記載の表示装置。
【請求項５】
前記制御部は、
前記表示部に前記画像を表示している期間の前記発電部の出力に基づいて、前記画像が観賞されている度合いを検出する
ことを特徴とする請求項１から４の何れか一項に記載の表示装置。
【請求項６】
前記表示部は、
電力非供給状態において表示している内容を保持する
ことを特徴とする請求項１から５の何れか一項に記載の表示装置。
【請求項７】
前記制御部は、
複数の画像それぞれに関連付けられている前記所定の情報に基づいて、前記複数の画像のうち少なくとも一つの画像を前記表示部に表示させる表示制御部、
を備えていることを特徴とする請求項１から６の何れか一項に記載の表示装置。
【請求項８】
自装置の向きを検出する姿勢検出部、
を備え、
前記表示制御部は、
前記姿勢検出部が検出した自装置の向きと、前記複数の画像それぞれに関連付けられている前記所定の情報とに基づいて、前記複数の画像のうち少なくとも一つの画像を前記表示部に表示させる
ことを特徴とする請求項７に記載の表示装置。
【請求項９】
閉状態において前記表示部と前記発電部とを覆う蓋部と、
前記蓋部の開状態または閉状態を検出する開閉状態検出部と、
を備え、
前記生成部は、
前記開閉状態検出部が検出した開状態または閉状態に基づいて、前記所定の情報を生成する
ことを特徴とする請求項１から８の何れか一項に記載の表示装置。
【請求項１０】
受光した光に応じて発電する発電部と画像を表示する表示部とを有する表示装置が備えるコンピュータに、
前記表示部に前記画像を表示している期間の前記発電部の出力に基づいて、所定の情報を生成するステップと、
生成した前記所定の情報を、前記画像に関連付けて記憶部に記憶させるステップ
を実行させるためのプログラム。
【発明の詳細な説明】
【技術分野】
【０００１】
本発明は、表示装置、及び、プログラムに関する。
【背景技術】
【０００２】
複数の画像から選択された画像を表示するデジタルフォトフレームなどのような表示装置がある。このような表示装置には、例えば、複数の画像のうち「お気に入り」の画像を優先的に表示するためのレーティング機能を備えているものがある。
また、特許文献１には、商品を見ている観察者の注視を検出して、検出した注視時間と注視された商品とに基づいて商品を選択する技術が開示されている。
【先行技術文献】
【特許文献】
【０００３】
【特許文献１】特開２００９−５４５０５１号公報
【発明の概要】
【発明が解決しようとする課題】
【０００４】
画像の表示時間に基づいて画像の観賞時間を検出し、検出した観賞時間に応じてレーティング付けを行う方法がある。この方法によれば、ユーザにとって煩わしい操作が不要になる。例えば、特許文献１に示す方法を適用すれば、鑑賞者を検出することにより、実際に観賞されているか否かを判定することが可能になる。
しかしながら、特許文献１に示す方法であっては、観賞者を検出する検出部として、カメラや顔検出処理部などを備えた複雑な構成が必要になるという問題があった。
【０００５】
本発明は、このような事情に鑑みてなされたもので、その目的は、簡易な構成でありながら複雑な操作を必要としないで、画像に対して適切に情報を付加することができる表示装置、及び、プログラムを提供することにある。
【課題を解決するための手段】
【０００６】
この発明は上述した課題を解決するためになされたもので、本発明は、受光した光に応じて発電する発電部と、画像を表示する表示部と、前記表示部に前記画像を表示している期間の前記発電部の出力に基づいて、所定の情報を生成する生成部と、前記生成部が生成した前記所定の情報を、前記画像に関連付けて記憶部に記憶させる制御部と、を備えることを特徴とする表示装置である。
【０００７】
受光した光に応じて発電する発電部と画像を表示する表示部とを有する表示装置が備えるコンピュータに、前記表示部に前記画像を表示している期間の前記発電部の出力に基づいて、所定の情報を生成するステップと、前記生成部が生成した前記所定の情報を、前記画像に関連付けて記憶部に記憶させるステップを実行させるためのプログラムである。
【発明の効果】
【０００８】
この発明によれば、簡易な構成でありながら複雑な操作を必要としないで、画像に対して適切に情報を付加することができる。
【図面の簡単な説明】
【０００９】
【図１】本発明の一実施形態に係る表示装置の構成の一例を示す斜視図である。
【図２】本実施形態に係る表示装置のカバーが閉じている状態を示す斜視図である。
【図３】本実施形態に係る表示装置の構成の一例を示す概略ブロック図である。
【図４】レーティング情報を生成する処理の一例を示すフローチャートである。
【図５】情報記憶部に記憶されているレーティング情報の一例を示す図である。
【図６】表示装置の別の態様の構成の一例を示す概略ブロック図である。
【図７】表示装置の向きを説明する図である。
【発明を実施するための形態】
【００１０】
以下、図面を参照して、本発明の実施の形態について説明する。
図１は、本発明の一実施形態に係る表示装置１００の構成の一例を示す斜視図である。
【００１１】
図１に示す表示装置１００は、表示装置本体１０１と、カバー１０２と、を備えている。表示装置本体１０１の一つの筐体面には、表示部３０が配置されている。なお、表示部３０の表示面領域は、表示部３０が配置されている筐体面の領域よりも小さい領域である。そして、表示装置本体１０１の表示部３０が配置されている筐体面において、表示部３０の表示面領域の外側の領域（外周）に太陽電池２０が配置されている。
【００１２】
カバー１０２（蓋部）は、表示装置本体１０１に対して開閉可能に取り付けられている。図１は、カバー１０２が開いている状態（開状態）を示している。また、図２は、表示装置１００のカバー１０２が閉じている状態（閉状態）を示している。カバー１０２は、開状態において、表示部３０の表示面領域をユーザが視認可能なように、且つ太陽電池２０の発電可能な受光領域に対する光を遮らないように開かれている。一方、カバー１０２は、閉状態において、表示部３０の表示面領域と太陽電池２０の発電可能な受光領域とを覆うように閉じられている。
【００１３】
つまり、ユーザは、カバー１０２が開状態の場合には表示部３０の表示面を見ること（観賞すること）が可能であり、カバー１０２が閉状態の場合には表示部３０の表示面を見ること（観賞すること）ができない。また、太陽電池２０は、太陽電池２０に対して照射される光がある場合であってカバー１０２が開状態の場合には、発電することが可能である。一方、太陽電池２０は、太陽電池２０に対して照射される光がある場合であってもカバー１０２が閉状態の場合には、光がカバー１０２によって遮られるため発電することができない。
【００１４】
次に、図３を参照して、表示装置１００の構成について詳しく説明する。
図３は、本実施形態に係る表示装置１００の構成の一例を示す概略ブロック図である。表示装置１００は、太陽電池２０と、発電量検出部２１と、蓄電池２５と、蓄電量検出部２６と、充電部２８と、表示部３０と、記憶部４０と、制御部５０と、を備えている。
【００１５】
太陽電池２０（発電部）は、光エネルギーを電気エネルギーに変換することにより電力を生成する。すなわち、太陽電池２０は、受光した光に応じて発電する。そのため、太陽電池２０が出力する発電量は、太陽光や照明光が照射されることによって受光した光の量に応じて変化する。例えば、太陽電池２０は、光が照射されない暗闇の場合、発電できないため電力を出力できない（発電しない）。
【００１６】
また、太陽電池２０が発電した電力は、充電部２８を介して蓄電池２５に充電（蓄電）される。また、太陽電池２０が発電した電力は、表示装置１００が備えている各部に対して、その各部を動作させるための電力として供給される。
【００１７】
発電量検出部２１（検出部）は、太陽電池２０が発電した発電量を検出する。例えば、発電量検出部２１は、制御部５０から供給されるサンプリング信号（太陽電池２０の発電量を検出するためのサンプリング信号）に応じて、太陽電池２０の発電量（出力電力、出力電圧、出力電流など）を検出する。また、発電量検出部２１は、検出した結果を充電部２８および制御部５０に供給する。
【００１８】
蓄電池２５（蓄電部）は、太陽電池２０が発電した電力が、充電部２８を介して入力されることにより充電される。蓄電池２５は、充電された電力を、蓄電量検出部２６に出力するとともに、表示装置１００が備えている各部に供給する。
【００１９】
蓄電量検出部２６は、蓄電池２５に充電されて蓄えられている電力の量、すなわち蓄電量を検出する。例えば、蓄電量検出部２６は、制御部５０から供給されるサンプリング信号（蓄電池２５の蓄電量を検出するためのサンプリング信号）に応じて、蓄電池２５の出力電圧を蓄電量として検出する。また、蓄電量検出部２６は、検出した結果を充電部２８および制御部５０に供給する。
【００２０】
充電部２８は、太陽電池２０が発電した電力を蓄電池２５に充電する。例えば、充電部２８は、発電量検出部２１が検出した太陽電池２０の発電量と、蓄電量検出部２６が検出した蓄電池２５の蓄電量とに基づいて、蓄電池２５に対する充電を制御する。
【００２１】
表示部３０は、電力が供給されていない状態である電力非供給状態において表示している内容（画像、情報など）を保持する。また、表示部３０は、電力が供給されている状態である電力供給状態にすることにより、表示している内容を変更可能（更新可能）となる。例えば、表示部３０は、マイクロカプセル型電気泳動ディスプレイモジュールを含んで構成されたＥＰＤ（Electrophoretic Display）であって、制御部５０の制御により画像や情報を表示する。なお、この場合の表示部３０は、反射型のディスプレイである。
【００２２】
記憶部４０は、画像記憶部４１と、情報記憶部４２とを備えている。画像記憶部４１は、表示部３０に表示する画像を記憶する。例えば、画像記憶部４１は、画像データが含まれるデータファイルを複数記憶している。なお、この複数のデータファイルそれぞれには、ファイル番号やタイムスタンプ（例えば、撮影日時や更新日時）などの情報が含まれている。情報記憶部４２は、画像記憶部４１に記憶されている画像に関連付けられた所定の情報を記憶する。この所定の情報は、例えば後述する、画像のレーティング情報である。
【００２３】
開閉状態検出部６０は、カバー１０２の開状態または閉状態を検出する検出スイッチを含んで構成されている。この検出スイッチは、例えば、カバー１０２の開状態または閉状態を、メカニカルに検出するスイッチ、マグネット近接方式により検出するスイッチ、または、フォトインタラプタを用いて検出するスイッチなどの何れであってもよい。また、開閉状態検出部６０は、検出結果を制御部５０に供給する。
【００２４】
制御部５０は、表示装置１００が備えている各部を制御する。例えば、制御部５０は、表示制御部５１と、累積発電量取得部５２と、累積時間取得部５３と、生成部５４と、設定部５５とを備えている。
【００２５】
表示制御部５１は、記憶部４０が記憶する画像（画像データが含まれるデータファイル）を読み出して、読み出した画像を表示部３０に表示させる。例えば、表示制御部５１は、記憶部４０が記憶する複数の画像のうち、ファイル番号やタイムスタンプにしたがった順序で選択された画像を記憶部４０から読み出して、読み出した画像を表示部３０に表示させる。また、表示制御部５１は、記憶部４０が記憶する複数の画像のうち、画像毎に関連付けられている所定の情報（例えば、後述するレーティング情報）に基づいて選択された画像を記憶部４０から読み出して、読み出した画像を表示部３０に表示させる。
【００２６】
なお、表示制御部５１は、例えば、カバー１０２が閉状態になったことに応じて、表示部３０に表示させている画像を、画像記憶部４１に記憶している他の画像（次に表示させる画像）に変更してもよい。例えば、表示制御部５１は、開閉状態検出部６０によりカバー１０２の閉状態が検出されたことに応じて、表示部３０に表示させている画像を変更してもよい。なお。表示制御部５１は、不図示の操作部やタッチパネルから入力された操作に応じて、表示部３０に表示させている画像を変更してもよい。
【００２７】
なお、表示制御部５１は、表示部３０に表示させている画像を変更する場合、表示部３０に対して電力が供給されていない電力非供給状態から電力が供給されている電力供給状態に制御し、例えば、一旦全白表示または全黒表示に表示状態を変更してから次に表示させる画像の表示に変更してもよい。そして、表示制御部５１は、変更後の画像の表示を表示部３０に保持させる場合、表示部３０に対して電力が供給されている電力供給状態から電力が供給されていない電力非供給状態に制御してもよい。
【００２８】
累積発電量取得部５２（第１取得部）は、太陽電池２０の出力に基づいて、表示部３０に画像を表示している期間において太陽電池２０が発電した発電量の累積値（以下、累積発電量と称する）を取得する。例えば、累積発電量取得部５２は、発電量検出部２１の検出結果に基づいて、表示部３０に画像を表示している期間において太陽電池２０が発電した累積発電量を取得する。そして、累積発電量取得部５２は、取得した累積発電量を示す情報を生成部５４に供給する。
【００２９】
ここで、表示部３０に画像を表示している期間とは、表示制御部５１が表示部３０に表示させている画像を変更しない期間であり、表示部３０がその画像の表示を保持している期間のことをいう。例えば、表示制御部５１が表示部３０に第１画像を表示させ、次に表示を変更して第２画像を表示させた場合、表示部３０に第１画像を表示している期間とは、表示制御部５１が表示部３０に第１画像を表示させてから第２画像に表示を変更するまでの期間のことをいう。
【００３０】
累積時間取得部５３（第２取得部）は、太陽電池２０の出力に基づいて、表示部３０に画像を表示している期間において太陽電池２０が発電した時間の累積値（以下、累積発電時間と称する）を取得する。例えば、累積時間取得部５３は、太陽電池２０の発電量が予め定められた閾値以上である場合には太陽電池２０が発電している状態であると判定し、内部に備えているタイマ回路（不図示）により太陽電池２０が発電している状態の累積時間を累積発電時間として計測する。そして、累積時間取得部５３は、取得した累積発電時間を示す情報を生成部５４に供給する。
【００３１】
ここで、予め定められた閾値とは、太陽電池２０が発電している発電中状態と、発電していない非発電中状態との何れの状態であるかを判定するための閾値であって、例えば、発電中状態であると判定する発電量の下限値として予め設定された値である。
【００３２】
なお、予め定められた閾値は、ユーザが表示部３０に表示された画像を視認できる程度に明るい状態において発電される発電量であるか否かを判定するための閾値として予め設定された値としてもよい。
【００３３】
生成部５４は、表示部３０に画像を表示している期間の太陽電池２０の出力に基づいて、所定の情報を生成する。ここで、所定の情報とは、例えば、画像のレーティングを示す情報（以下、レーティング情報と称する）である。
【００３４】
ここで、画像のレーティング情報とは、例えば、画像を選択する際の順序や優先順位を示す情報（すなわちレーティングを示す情報）であって、太陽電池２０の出力に基づいた順位付け或いは等級分けを示す情報、または、太陽電池２０の出力に応じた度合いを示す情報である。なお、画像のレーティング情報は、表示するために画像を選択する際の順序や優先順位を示す情報であってもよいし、印刷するためまたは送信するためなど表示処理以外の処理のために画像を選択する際の順序や優先順位を示す情報であってもよい。
【００３５】
設定部５５は、画像に対してレーティングを設定する。例えば、設定部５５は、生成部５４が生成した、画像（例えば第１画像）のレーティング情報を、その画像（例えば第１画像）に関連付けて情報記憶部４２に記憶させる。具体的には、設定部５５は、表示部３０に画像（例えば第１画像）を表示している期間において太陽電池２０が発電した発電量の累積発電量または累積発電時間に基づくレーティング情報を、その画像（例えば第１画像）に関連付けて情報記憶部４２に記憶させる。
【００３６】
このように、表示装置１００は、表示部３０に表示している画像毎に、その画像を表示している期間における太陽電池２０の出力（累積発電量や累積発電時間）に基づいてレーティング情報を生成する。また、表示装置１００は、生成したレーティング情報を、その画像に関連付けて情報記憶部４２に記憶する。
【００３７】
以上のように構成された表示装置１００において画像に付加するレーティング情報を生成する処理について、次に詳しく説明する。
【００３８】
（画像に付加するレーティング情報を生成する処理の説明）
例えば、ユーザによりカバー１０２の開閉が繰り返されることによって、表示制御部５１は、順次画像を変更して（切り替えて）表示部３０に表示させる。そして、ユーザは所望の画像が表示された状態でその操作を終えることにより、表示されている所望の画像を観賞することができる。なお、表示制御部５１は、開閉状態検出部６０によりカバー１０２に対して「素早く開閉する」操作がされたことが検出された場合、表示部３０に表示させる画像を一枚戻す（逆順による次の画像を表示する）ように制御してもよい。この「素早く開閉する」操作は例えば「素早く２回開閉する」操作（ダブルクリックのような操作）などとしてもよい。
【００３９】
なお、表示装置１００は、上記のカバー１０２の開閉の検出を、開閉状態検出部６０に代えて、太陽電池２０の発電量に基づいて検出してもよい（開閉状態検出部６０（検出スイッチ）を省いた構成としてもよい）。この場合、環境光がある程度以上明るい状況であって、カバー１０２が開状態である場合に太陽電池２０が発電可能な状況であるとする。
【００４０】
上述したようなユーザの操作に応じて、表示制御部５１が複数の画像を順次表示部３０に表示させた場合、ユーザの所望する画像（観賞された画像）であるか否かによって画像の表示時間が異なる。しかしながら、画像の表示時間と観賞時間（ユーザに観賞されている時間）とは一致するとは限らない。例えば、画像が表示されていたとしても、暗い状況下では、ユーザがその画像を観賞するどころか視認できない場合がある。
【００４１】
これに対し、太陽電池２０が発電している状態は、例えばカバー１０２が開状態であって、且つ表示画像を視認可能な程度に明るい状況である。そこで、表示装置１００は、ある画像を表示している期間において太陽電池２０が発電している状態の時間（発電中の時間、太陽電池２０の発電量が予め定められた閾値以上である時間）を検出する。これにより、表示装置１００は、単に画像の表示時間を検出するよりも、その表示されている画像に対するユーザの観賞時間を適切に検出することができる。
【００４２】
なお、表示装置１００は、太陽電池２０の発電量に基づいて、表示部３０に表示された画像がユーザに観賞されている度合いを検出してもよい。ここで、観賞されている度合いとは、画像毎のユーザの観賞度合いであって、例えばユーザによる観賞時間のことである。なお、観賞されている度合いは、観賞された回数や観賞される頻度としてもよい。
【００４３】
そして、表示装置１００は、この太陽電池２０の発電量に基づいて検出した画像の観賞時間（ユーザに観賞されている度合い）に基づいて、その画像のレーティング情報を生成する。
【００４４】
以下、具体的な処理を説明する。
生成部５４は、表示部３０に画像を表示している期間の太陽電池２０の出力に基づいて、レーティング情報を生成する。
【００４５】
ここで、太陽電池２０の出力は、太陽電池２０が発電した累積発電量としてもよい。また、太陽電池２０の出力は、太陽電池２０が発電した累積発電時間としてもよい。例えば、ユーザに観賞されている時間が長い場合には、累積発電量が多くなる、または、累積発電時間が長くなる。一方、ユーザに観賞されている時間が短い場合には、累積発電量が少なくなる、または、累積発電時間が短くなる。
【００４６】
つまり、制御部５０は、表示部３０に画像を表示している期間における太陽電池２０の累積発電量または累積発電時間に基づいて、その画像がユーザに観賞されている観賞時間（観賞されている度合い）を検出してもよい。
【００４７】
例えば、生成部５４が、表示部３０に第１画像を表示させている期間の太陽電池２０の出力に基づいて、その第１画像のレーティング情報を生成するとする。この場合、生成部５４は、表示部３０に第１画像を表示させている期間において太陽電池２０が発電した累積発電量に基づいて、その第１画像のレーティング情報を生成する。具体的には、生成部５４は、累積発電量取得部５２が取得した累積発電量に基づいて、その第１画像のレーティング情報を生成する。
【００４８】
なお、生成部５４は、表示部３０に第１画像を表示させている期間において太陽電池２０が発電した累積発電時間に基づいて、その第１画像のレーティング情報を生成してもよい。具体的には、生成部５４は、累積時間取得部５３が取得した累積発電時間に基づいて、その第１画像のレーティング情報を生成してもよい。
【００４９】
設定部５５は、画像に対してレーティングを設定する。例えば、生成部５４が生成した画像のレーティング情報を、その画像に関連付けて情報記憶部４２に記憶させる。
【００５０】
つまり、設定部５５は、画像毎の累積発電量または累積発電時間（ユーザにより鑑賞されていた可能性が高い時間の累積、観賞時間）に基づいて画像毎にレーティング情報を関連付けることにより、画像毎にレーティングを設定する。例えば、設定部５５は、累積発電量の多い順にレーティングを付ける処理を行う。
このレーティングに基づいて、表示制御部５１が表示部３０に画像を表示させる処理については後述する。
【００５１】
次に、図４を参照して、表示装置１００におけるレーティング情報を生成する処理の動作について説明する。図４は、レーティング情報を生成する処理の一例を示すフローチャートである。この図に示す処理においては、生成部５４が累積発電量に基づいてレーティング情報を生成するものとする。
【００５２】
まず、表示制御部５１は、表示部３０に画像を表示させる（ステップＳ１０１）。次に、発電量検出部２１は、太陽電池２０の発電量を検出し、検出結果を累積発電量取得部５２に供給する（ステップＳ１０２）。
【００５３】
続いて、累積発電量取得部５２は、発電量検出部２１が検出した太陽電池２０の発電量を取得するとともに、取得した発電量に基づいて太陽電池２０の累積発電量を算出する（ステップＳ１０３）。
【００５４】
累積発電量取得部５２は、表示制御部５１が表示部３０に表示させている画像を変更したか否かを判定する（ステップＳ１０４）。ここで、表示制御部５１は、例えば、カバー１０２が閉状態になったことに応じて、表示部３０に表示させている画像を、画像記憶部４１に記憶している他の画像（次に表示させる画像）に変更する。
【００５５】
ステップＳ１０４において表示部３０に表示させている画像を変更していない（ステップＳ１０１において表示部３０に表示させた画像を継続して表示させている）と判定された場合（ステップＳ１０４：ＮＯ）、累積発電量取得部５２は、ステップＳ１０２に処理を戻す。これにより、累積発電量取得部５２は、太陽電池２０の累積発電量を継続して算出する。
【００５６】
ステップＳ１０４において表示部３０に表示させている画像を変更したと判定された場合（ステップＳ１０４：ＹＥＳ）、累積発電量取得部５２は、算出した累積発電量（ステップＳ１０１において表示部３０に表示させた画像を表示している期間における累積発電量）を取得し、取得した累積発電量を示す情報を生成部５４に供給する。
【００５７】
次に、生成部５４は、累積発電量取得部５２から供給された累積発電量を示す情報に基づいてレーティング情報を生成する（ステップＳ１０５）。
【００５８】
続いて、設定部５５は、生成部５４が生成したレーティング情報を、表示部３０表示させていた画像（ステップＳ１０１において表示部３０に表示させた画像）に関連付けて情報記憶部４２に記憶させる（ステップＳ１０６）。
【００５９】
なお、ステップＳ１０２およびステップＳ１０３における累積発電量取得部５２が太陽電池２０の累積発電量を取得する処理に代えて、累積時間取得部５３が太陽電池２０の累積発電時間を取得する処理としてもよい。
【００６０】
このように、生成部５４は、単に表示部３０に画像を表示している時間に基づいてレーティング情報を生成するのではなく、表示している期間における太陽電池２０の出力（例えば、累積発電量や累積発電時間など）に基づいてレーティング情報を生成することができる。また、設定部５５は、生成部５４が生成したレーティング情報を、画像毎に関連付けて記憶部４０に記憶させることができる。
【００６１】
これにより、表示装置１００は、太陽電池２０の出力（例えば、累積発電量や累積発電時間など）に基づいて画像毎のレーティング付けを行うことができる。よって、表示装置１００は、簡易な構成でありながら複雑な操作を必要としないで、画像に対して適切にレーティング情報を付加することができる。
例えば、表示装置１００は、特別な検出手段がなくとも太陽電池２０の出力に基づいてユーザの観賞度合いを検出することができるとともに、ユーザの観賞度合いに基づいて画像毎にレーティング付けを行うことができる。
【００６２】
（レーティング情報の設定例）
図５は、情報記憶部４２に記憶されているレーティング情報の一例を示す図である。情報記憶部４２には、画像記憶部４１に記憶されている複数の画像のそれぞれのファイル番号と、それぞれの画像のレーティング情報とが関連付けられて記憶されている。
【００６３】
図５（ａ）に示す例では、生成部５４が、例えば、太陽電池２０が発電した累積発電量に基づいて、累積発電量が多い順に高い値になるようにレーティング付けを行ったレーティング情報を生成している。設定部５５は、ファイル番号と生成部５４が生成したレーティング情報とを画像毎に関連付けて情報記憶部４２に記憶させる。
【００６４】
なお、設定部５５は、一度も表示されていない画像のファイル番号には、最小値を示すレーティング情報を関連付けて情報記憶部４２に記憶させてもよい。この図に示す例では、設定部５５は、ファイル番号「０００１」にレーティング情報「５」、ファイル番号「０００２」にレーティング情報「８」、ファイル番号「０００３」にレーティング情報「１０」、および、ファイル番号「０００４」にレーティング情報「１」、をそれぞれ関連付けて情報記憶部４２に記憶させる。
【００６５】
また、設定部５５は、図５（ｂ）に示すように、画像のファイル番号に対して、レーティング情報に加えて、累積発電量、または累積発電時間を関連付けて記憶してもよい。
【００６６】
（レーティングに基づいて表示させる表示制御処理）
表示制御部５１は、情報記憶部４２に記憶されているレーティング情報に基づいて、表示部３０に表示させる画像を選択する。例えば、表示制御部５１は、カバー１０２が開閉される度に、情報記憶部４２に記憶されているレーティング情報に応じた順序にしたがって表示する画像を選択して、選択した画像を表示部３０に表示させる。また、表示制御部５１は、所定の時間間隔で順次画像を変更して表示部３０に表示させるスライドショー再生を実行する際に、情報記憶部４２に記憶されているレーティング情報に応じた順序にしたがって表示する画像を選択して、選択した画像を順次表示部３０に表示させてもよい。
【００６７】
例えば、図５に示すレーティング情報を例にすると、表示制御部５１は、レーティング情報の値が大きい順（累積発電量が多い順にレーティング付けされた順）にしたがって、ファイル番号「０００３」の画像、ファイル番号「０００２」の画像、ファイル番号「０００１」の画像、ファイル番号「０００４」の画像、の順に表示させてもよい。
【００６８】
これにより、表示装置１００は、ユーザに観賞される機会が多い画像（お気に入り画像）を、優先して表示することができる。よって、表示装置１００は、ユーザのお気に入り画像を優先して表示することができる。
【００６９】
なお、表示制御部５１は、レーティング情報の値が大きい順（累積発電量が多い順にレーティング付けされた順）とは逆の順序にしたがって、ファイル番号「０００４」の画像、ファイル番号「０００１」の画像、ファイル番号「０００２」の画像、ファイル番号「０００３」の画像、の順に表示させてもよい。
【００７０】
これにより、表示装置１００は、ユーザにあまり観賞されていない画像を、優先して表示することができる。よって、表示装置１００は、ユーザが観賞したことない画像（懐かしい昔の画像、最近撮影されて未だ見たことがない画像など）を、ユーザに対して紹介するように優先して表示することができる。
【００７１】
なお、表示制御部５１は、例えば複数の画像から１つまたは所定の数の画像を表示部３０に表示させる場合、情報記憶部４２に記憶されているレーティング情報に基づいて、１つまたは所定の数の画像を表示させてもよい。
【００７２】
このように、表示制御部５１は、複数の画像それぞれに関連付けられているレーティング情報に基づいて、複数の画像のうち少なくとも一つの画像を表示部３０に表示させる。これにより、表示装置１００は、画像記憶部４１に記憶されている複数の画像のうち、太陽電池２０の出力、すなわちユーザの観賞度合いに基づいて設定したレーティング情報にしたがって（レーティング付けにしたがって）選択した画像を、表示部３０に表示することができる。
【００７３】
（表示装置１００の別の態様）
次に、図６を参照して、表示装置１００の別の態様について説明する。図６に示す表示装置１００は、図３に示す表示装置１００の構成に対して、姿勢検出部７０を備えている点が異なる。図６において、図３に対応する構成には同じ符号を付けておりその説明を省略する。
【００７４】
姿勢検出部７０は、表示装置１００の向きを検出する。例えば、姿勢検出部７０は、表示装置１００の表示部３０の表示面が水平面に平行な状態であるか否か、または、表示面が水平面に垂直な状態であるか否かなど、表示装置１００の向きを検出する。また、姿勢検出部７０は、検出結果を制御部５０に供給する。
【００７５】
なお、姿勢検出部７０は、表示装置１００の向きを検出するための傾斜センサ、加速度センサ、ジャイロセンサなどを含んで構成されている。また、姿勢検出部７０は、例えば、表示装置１００の向きが（表示部３０の表示面が）、水平面を示す角度を含む所定の範囲の角度に対して平行な状態である場合に、表示装置１００の向きが水平面に平行な状態（以下、「表示装置１００が水平状態」と称する）であると判定してもよい。また、姿勢検出部７０は、表示装置１００の向きが（表示部３０の表示面が）、水平面の角度を含む所定の範囲の角度に対して垂直な状態にある場合に、表示装置１００の向きが水平面に垂直な状態（以下、「表示装置１００が立てられている状態」と称する）であると判定してもよい。また、姿勢検出部７０は、表示装置１００の向きを、予め設定された基準面（例えば水平面、垂直面、または任意に定められた面）に対する向きとして検出してもよい。
【００７６】
例えば、表示制御部５１は、姿勢検出部７０が検出した表示装置１００の向きに基づいて、表示部３０に画像を表示させる際の表示方法を設定してもよい。例えば、表示制御部５１は、表示装置１００の向きに基づいて、カバー１０２の開閉に応じて１画像毎に再生して表示する表示モード（以下、「１コマ再生モード」と称する）、またはスライドショー再生して画像を表示する表示モード（以下、「スライドショー再生モード」と称する）に設定してもよい。
【００７７】
具体的には、表示制御部５１は、例えば、姿勢検出部７０が「表示装置１００が水平状態」を検出した場合（図７（ａ）参照）、表示モードを「１コマ再生モード」に設定してもよい。一方、表示制御部５１は、例えば、姿勢検出部７０が「表示装置１００が立てられている状態」を検出した場合（図７（ｂ）参照）、表示モードを「スライドショー再生モード」に設定してもよい。
【００７８】
また、表示制御部５１は、姿勢検出部７０が検出した表示装置１００の向きに基づいて、レーティング情報にしたがって表示部３０に画像を表示させる際の順序を変更してもよい。例えば、表示制御部５１は、表示装置１００が予め定められた正方向の向きの場合には、レーティング情報にしたがった順に画像を表示させ、表示装置１００が予め定められた正方向に対して１８０度回転した向き（上下を逆にした向き）の場合には、レーティング情報にしたがった順の逆順に画像を表示させてもよい。
【００７９】
すなわち、表示制御部５１は、姿勢検出部７０が検出した表示装置１００の向きと、複数の画像それぞれに関連付けられているレーティング情報とに基づいて、複数の画像のうち少なくとも一つの画像を表示部３０に表示させてもよい。
【００８０】
これにより、表示装置１００は、画像記憶部４１に記憶されている複数の画像のうち、表示装置１００の向きと、太陽電池２０の出力、すなわちユーザの観賞度合いに基づいて設定したレーティング情報（レーティング付け）とにしたがって選択した画像を、表示部３０に表示することができる。
【００８１】
以上説明してきたように、表示装置１００は、太陽電池２０の出力に基づいて、画像のレーティング情報を生成することができる。よって、表示装置１００は、簡易な構成でありながら複雑な操作を必要としないで、画像に対して適切に情報を付加することができる。また、表示装置１００は、複数の画像のうち、付加した情報（例えば、レーティング情報）にしたがって画像を選択することができる。例えば、表示装置１００は、複数の画像のうち、付加した情報（例えば、レーティング情報）にしたがって選択した画像を表示することができる。
【００８２】
なお、表示装置１００は、複数の画像のうち、付加した情報にしたがって選択した画像を印刷する画像として出力してもよい。また、表示装置１００は、複数の画像のうち、付加した情報にしたがって選択した画像に対して印刷する画像であることを示す情報や印刷枚数を示す情報などを付加してもよい。また、表示装置１００は、複数の画像のうち、付加した情報にしたがって選択した画像を他の装置に送信してもよい。
【００８３】
なお、図５を用いて、生成部５４が、太陽電池２０の累積発電量が多い順（或いは累積発電時間が長い順としてもよい）に高い値になるようにレーティング情報を生成する例を説明したが、生成するレーティング情報はこれに限られるものではない。例えば、生成部５４は、太陽電池２０の累積発電量が少ない順（或いは累積発電時間が短い順としてもよい）に高い値になるようにレーティング情報を生成してもよい。すなわち、生成部５４は、レーティング付けが逆順になるようにレーティング情報を生成してもよい。
【００８４】
また、生成部５４は、太陽電池２０の累積発電量を示す情報または累積発電時間を示す情報を、そのままレーティング情報としてもよい。また、生成部５４は、太陽電池２０の出力に基づいて、単に画像に付加する所定の情報を生成してもよい。例えば、生成部５４は、太陽電池２０の累積発電量を示す情報または累積発電時間を示す情報を、単に画像に付加する所定の情報としてもよい。
また、設定部５５は、太陽電池２０の累積発電量を示す情報または累積発電時間を示す情報を、単に画像に付加する所定の情報として関連付けて記憶部４０に記憶させてもよい。
【００８５】
また、生成部５４は、例えば、太陽電池２０の出力に基づいて生成したレーティング情報に対して、直前に表示させていた画像ほど高い値になるように重み付けをしてもよい。また、その逆に、生成部５４は、例えば、太陽電池２０の出力に基づいて生成したレーティング情報に対して、直前に表示させていた画像ほど低い値になるようにレーティング情報を生成してもよい。
【００８６】
また、生成部５４は、画像の撮影日時に基づいて、レーティング情報を生成してもよい。例えば、生成部５４は、画像の撮影日時に基づいて、最近撮影された画像ほど高い値になるようにレーティング情報を生成してもよい。また、その逆に、生成部５４は、画像の撮影日時に基づいて、最近撮影された画像ほど低い値になるようにレーティング情報を生成してもよい。なお、生成部５４は、例えば、太陽電池２０の出力に基づいて生成したレーティング情報に対して、最近撮影された画像ほど高い値になるように重み付けをしてもよいし、最近撮影された画像ほど低い値になるように重み付けをしてもよい。
【００８７】
また、生成部５４は、開閉状態検出部６０が検出した開状態または閉状態に基づいて、レーティング情報（所定の情報）を生成してもよい。例えば、生成部５４は、画像を表示している期間における開状態である時間に基づいて、レーティング情報（所定の情報）を生成してもよい。
【００８８】
なお、設定部５５は、生成部５４が生成したレーティング情報を画像に関連付けておく時間（期間）を管理してもよい。例えば、設定部５５は、生成部５４が生成したレーティング情報を画像に関連付けて記憶部４０に記憶させた後、予め設定された時間（期間）が経過した場合にその関連付けを解除してもよい。
【００８９】
なお、上述したスライドショー再生において、表示制御部５１は、所定の時間間隔で順次画像を変更する際の画像の切りかえ間隔を、太陽電池２０の発電量と蓄電池２５の蓄電量に応じて設定してもよい。例えば、表示制御部５１は、画像の切りかえ間隔を、暗い状況下（例えば、暗い室内）では間隔が長くなるように設定し、また、明るい状況下では間隔が短くなるように設定してもよい。また、表示制御部５１は、光の照射がないような暗闇（夜間の照明が無いような状態）の状況下では、表示させている画像の切り替えを停止して、表示画像を保持させてもよい。
【００９０】
なお、図１において、太陽電池２０が、表示部３０が配置されている筐体面において表示部３０の表示面領域の外側に配置されている例を示したが、太陽電池２０の配置はこれに限られるものではない。例えば、太陽電池２０は、カバー１０２に配置されていてもよい。例えば図７に示すように、太陽電池２０は、カバー１０２が閉状態である場合に表示部３０の表示面に対面する側となる面のカバー１０２に配置されていてもよい。
【００９１】
なお、上記実施形態において、表示部３０がＥＰＤである場合を例として説明したが、ＥＰＤに限られるものではない。例えば、表示部３０は、反射型液晶ディスプレイとしてもよいし、透過型の液晶ディスプレイや有機ＥＬ（Electro-Luminescence）ディスプレイなどであってもよい。
【００９２】
なお、上記実施形態における表示装置１００は、例えば、携帯電話、パーソナルコンピュータ、タブレット型端末、電子玩具、または、通信端末などの様々な電子機器に備えられている表示装置に対しても適用できる。
【００９３】
なお、上述の制御部５０、または、この制御部５０が備える各部は、専用のハードウェアにより実現されるものであってもよく、また、メモリ及びマイクロプロセッサにより実現させるものであってもよい。
【００９４】
なお、上述の制御部５０、または、この制御部５０が備える各部は、専用のハードウェアにより実現されるものであってもよく、また、この制御部５０、または、この制御部５０が備える各部はメモリ及びＣＰＵ（中央演算装置）により構成され、信号処理部１１０、または、この信号処理部１１０が備える各部の機能を実現するためのプログラムをメモリにロードして実行することによりその機能を実現させるものであってもよい。
【００９５】
また、上述の制御部５０、または、この制御部５０が備える各部の機能を実現するためのプログラムをコンピュータ読み取り可能な記録媒体に記録して、この記録媒体に記録されたプログラムをコンピュータシステムに読み込ませ、実行することにより、信号処理部１１０、または、この信号処理部１１０が備える各部による処理を行ってもよい。なお、ここでいう「コンピュータシステム」とは、ＯＳや周辺機器などのハードウェアを含むものとする。
【００９６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。更に「コンピュータ読み取り可能な記録媒体」とは、インターネットなどのネットワークや電話回線などの通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムにすでに記録されているプログラムとの組み合わせで実現できるものであっても良い。
【００９７】
以上、この発明の実施形態について図面を参照して詳述してきたが、具体的な構成はこの実施形態に限られるものではなく、この発明の要旨を逸脱しない範囲の設計なども含まれる。
【符号の説明】
【００９８】
２０  太陽電池（発電部）、２１  発電量検出部（検出部）、２５  蓄電池（蓄電部）、３０  表示部、５０  制御部、５１  表示制御部、５２  累積発電量取得部（第１取得部）、５３  累積時間取得部（第２取得部）、５４  生成部、６０  開閉状態検出部、７０  姿勢検出部、１００  表示装置、
【図１】
2014021437.tif 000003
【図２】
2014021437.tif 000004
【図３】
2014021437.tif 000005
【図４】
2014021437.tif 000006
【図５】
2014021437.tif 000007
【図６】
2014021437.tif 000008
【図７】
2014021437.tif 000009